(57)【要約】  吹出口から結露水が落下してしまうことを防止しつつ、プロペラファンの大型化を図り、風量を向上させることができる空気調和機の室内ユニットを提供する。  空気調和機の室内ユニット（１）は、熱交換器（８）で囲まれ、側方の吸込口（６）から吸い込まれた空気（Ｋ）を下方の吹出口（７）から吹き出させるプロペラファン（９）と、熱交換器（８）の下方に設けられ、熱交換器（８）で生じる結露水を受けるドレンパン（１１）と、を備え、熱交換器（８）は、その表面の水の接触角が５０°以下となるように表面処理が施され、熱交換器（８）とプロペラファン（９）との水平方向の離間距離をＬとし、プロペラファン（９）の直径をＤとしたときに、０．０５≦Ｌ／Ｄ＜０．１９の関係式が成り立つように熱交換器（８）とプロペラファン（９）とを配置した。
2019208171.tif 000002
【特許請求の範囲】
【請求項１】
天井に固定される筐体と、
前記筐体の外周側面に開口され、周囲から空気を吸い込む吸込口と、
前記筐体の下面の中央部に開口され、空気を下向きに吹き出す吹出口と、
前記筐体の内部に設けられ、底面視で環状を成す熱交換器と、
前記熱交換器で囲まれ、かつ前記吹出口に対応する位置に設けられ、回転軸が垂直方向に延び、前記吸込口から吸い込まれた空気を前記吹出口から吹き出させるプロペラファンと、
前記熱交換器の下方に設けられ、前記熱交換器で生じる結露水を受けるドレンパンと、
を備え、
前記熱交換器は、その表面の水の接触角が５０°以下となるように表面処理が施され、
前記熱交換器と前記プロペラファンとの水平方向の離間距離をＬとし、前記プロペラファンの直径をＤとしたときに、０．０５≦Ｌ／Ｄ＜０．１９の関係式が成り立つように前記熱交換器と前記プロペラファンとを配置した、
空気調和機の室内ユニット。
【請求項２】
前記筐体は、前記天井よりも低い位置に設けられ、底面視で円形状または五角形以上の多角形状を成す、
請求項１に記載の空気調和機の室内ユニット。
【請求項３】
ファンモータと前記ドレンパンとを互いに連結する連結部材を備える、
請求項１または請求項２に記載の空気調和機の室内ユニット。
【請求項４】
前記筐体の上面板から内側に下方に突出され、ファンモータを支持するとともに、前記熱交換器を水平方向に通過した空気を下方に向けて案内する案内面が形成されたガイド部を備える、
請求項１から請求項３のいずれか１項に記載の空気調和機の室内ユニット。
【請求項５】
前記ドレンパンが前記熱交換器の下方位置から前記吹出口の縁辺まで延びる、
請求項１から請求項４のいずれか１項に記載の空気調和機の室内ユニット。
【請求項６】
前記ドレンパンが前記筐体の下面板と一体化される、
請求項１から請求項５のいずれか１項に記載の空気調和機の室内ユニット。
【発明の詳細な説明】
【技術分野】
【０００１】
本発明の実施形態は、空気調和機の室内ユニットに関する。
【背景技術】
【０００２】
従来、室内の天井に設置される空気調和機の室内ユニットとしては、筐体の下面中央に正方形の吸込口とその周囲の４辺に細長い吹出口が設けられている、いわゆる４方向天井カセットタイプの室内ユニットがある。このような室内ユニットの筐体内部には、その中央にターボファンおよびこのターボファンの周囲を囲む略４角形状の熱交換器が設置される。ターボファンは、中央の吸込口から室内空気を吸い込み、吸い込んだ空気を、熱交換器を通して温度調整を行い、そして、この空調空気を吹出口から室内に吹き出すようにしている。【０００３】
この方式の室内ユニットにおける空気の流れは、真下から吸い込んで空気を真横方向に吹き出して熱交換器を通し、その後、導風路にて真下方向に風向を変更している。このように風向を筐体内で３６０°変更していることから、通風抵抗が大きく、風量を大きくできないという問題がある。そこで、特許文献１のように、送風機としてプロペラファンを用い、プロペラファンによって上方空間の空気を筐体の側面の吸込口から吸い込んで、筐体の下面の吹出口から吹き出させる室内ユニットが考えられている。
【先行技術文献】
【特許文献】
【０００４】
【特許文献１】特許第４７６６１６９号公報
【発明の概要】
【発明が解決しようとする課題】
【０００５】
プロペラファンを用いて、筐体の側方から空気を吸い込み、下方に吹出すように室内ユニットを構成した場合には、大風量で低騒音の室内ユニットが期待できるが、熱交換器の表面で生じる結露水が筐体の下面の吹出口から落ちないようにするために、熱交換器と吹出口との間に充分な離間距離を確保しなければならず、吹出口の直径を小さくしなければならない。そのため、折角、風量が大きく取れるプロペラファンを採用しても、直径の大きなファンを設けることができず、風量を向上させることができないという課題がある。【０００６】
本発明の実施形態は、このような事情を考慮してなされたもので、吹出口から結露水が落下してしまうことを防止しつつ、プロペラファンの大型化を図り、風量を向上させることができる空気調和機の室内ユニットを提供することを目的とする。
【課題を解決するための手段】
【０００７】
本発明の実施形態に係る空気調和機の室内ユニットは、天井に固定される筐体と、前記筐体の外周側面に開口され、周囲から空気を吸い込む吸込口と、前記筐体の下面の中央部に開口され、空気を下向きに吹き出す吹出口と、前記筐体の内部に設けられ、底面視で環状を成す熱交換器と、前記熱交換器で囲まれ、かつ前記吹出口に対応する位置に設けられ、回転軸が垂直方向に延び、前記吸込口から吸い込まれた空気を前記吹出口から吹き出させるプロペラファンと、前記熱交換器の下方に設けられ、前記熱交換器で生じる結露水を受けるドレンパンと、を備え、前記熱交換器は、その表面の水の接触角が５０°以下となるように表面処理が施され、前記熱交換器と前記プロペラファンとの水平方向の離間距離をＬとし、前記プロペラファンの直径をＤとしたときに、０．０５≦Ｌ／Ｄ＜０．１９の関係式が成り立つように前記熱交換器と前記プロペラファンとを配置した。
【図面の簡単な説明】
【０００８】
【図１】第１実施形態の室内ユニットが設けられた建物の内部を示す図。
【図２】第１実施形態の室内ユニットの概略横断面図。
【図３】第１実施形態の室内ユニットの概略縦断面図。
【図４】風量と結露水の飛翔距離を示す説明図。
【図５】熱交換器の接触角と結露水の飛翔距離との関係を示すグラフ。
【図６】熱交換器の接触角とＬ／Ｄとの関係を示すグラフ。
【図７】風量とＬ／Ｄとの関係を示すグラフ。
【図８】第２実施形態の室内ユニットの概略縦断面図。
【発明を実施するための形態】
【０００９】
（第１実施形態）
以下、本実施形態を添付図面に基づいて説明する。まず、第１実施形態の空気調和機の室内ユニットについて図１から図７を用いて説明する。図１の符号１は、空気調和機の室内ユニットである。空気調和機は、室外に設置される室外ユニット（図示略）と室内に設置される室内ユニット１とで構成される。室外ユニットと室内ユニット１とは、冷媒を循環させる冷媒配管を介して接続されている。そして、室外ユニットと室内ユニット１との間で冷媒を循環させることで冷凍サイクルが構成される。
【００１０】
図１に示すように、本実施形態の空気調和機の室内ユニット１は、建物の内部の室内空間の空気を調和するために用いられる。この室内空間は、床２と壁３と天井４に囲まれた閉鎖された空間である。なお、天井４には、本実施形態の室内ユニット１が設けられる。
【００１１】
図２および図３に示すように、室内ユニット１は、底面視で円形状を成す筐体５と、筐体５の外周側面に開口されて周囲から空気Ｋを吸い込む吸込口６と、筐体５の下面の中央部に開口されて空気Ｋを下向きに吹き出す吹出口７と、筐体５の内部に設けられて底面視で環状を成す熱交換器８と、吹出口７に対応する位置に設けられるプロペラファン９と、プロペラファン９を回転させるファンモータ１０と、熱交換器８の下方に設けられて熱交換器８の表面で生じる結露水を受けるドレンパン１１とを備える。筐体５の上面は、上面板１２によって閉塞されている。
【００１２】
天井４に固定されて床面方向に延びた金属棒状の吊り下げ部材１７に筐体５の上面板１２が固定される。これにより筐体５は、天井面から吊り下げられて、天井４よりも低い位置に設けられる。このようにすれば、空調対象となる室内空間の空気Ｋを側面から取り込んで、筐体５の下面の吹出口７から吹き出させることができるので、室内空間の空気を効率よく循環させることができる。つまり、天井４近くに沿って流れる空気Ｋを、室内ユニット１から下方に向けて流すことができる。さらに、室内ユニット１から床２に到達した空気Ｋは、壁３に沿って流れて再び天井４に到達する。なお、室内ユニット１は、空調対象の部屋の中央部に設けられると良い。
【００１３】
なお、第１実施形態では、筐体５の上面板１２が天井４から所定距離だけ離れた状態で固定されている。しかしながら、天井４が低い部屋においては、天井４と筐体５の天面（上面板１２の上面）が略一致するように固定して設置しても良い。また、筐体５は、底面視で円形状を成しているが、その他の形状でも良い。例えば、筐体５が、底面視で五角形以上の多角形状であっても良い。つまり、筐体５が、底面視で六角形状、八角形状または十角形状を成しても良い。なお、筐体を五角形とした場合、各辺がほぼ同じ長さとすることが望ましい。
【００１４】
このように、本実施形態の室内ユニット１は、筐体５が天井４から剥き出しの状態で配置される剥き出し式のユニットとなっている。さらに、室内ユニット１の筐体５が円形状を成していることで、意匠性を向上させることができる。さらに、筐体５に角部が無いことで、室内ユニット１の下方に居る人に圧迫感を感じさせないようにできる。
【００１５】
室内ユニット１内に収納される熱交換器８は、図２に示すように底面視で環状を成し、図３の縦断側面視で縦長の長方形状を成している。また、吹出口７は、底面視で円形状を成す。なお、底面視において、熱交換器８の中心と、プロペラファン９の中心と、吹出口７の中心とが一致している。
【００１６】
なお、吹出口７の直径は、プロペラファン９の直径Ｄよりもわずかに大きい寸法となっている。以下、符号Ｄは、吹出口７およびプロペラファン９の直径として説明する。
【００１７】
プロペラファン９は、環状を成す熱交換器８で囲まれる位置、つまり、底面視で筐体５の中央位置に設けられる。また、プロペラファン９の回転軸は、垂直方向、つまり上方向に延びる。そして、この回転軸にファンモータ１０が接続される。ファンモータ１０は、筐体５の上面板１２に固定される。このファンモータ１０によりプロペラファン９が回転されると、吸込口６から吸い込まれた空気Ｋが、吹出口７から下方に吹き出すようになっている。
【００１８】
吸込口６は、筐体５の外周側面の全周に亘って設けられる。また、熱交換器８は、筐体５の内周面であって、吸込口６に対応する位置に設けられる。なお、熱交換器８は、筐体５の上面板１２に固定部材１４を用いて固定される。
【００１９】
冷房運転時において、冷媒は、室外ユニットの圧縮機から高温高圧のガス状となって吐出され、室外側の熱交換器に流れる。この冷媒は、室外側の熱交換器で室外の空気と熱交換されて凝縮され、液状となって冷媒配管１９（図１）に流れる。そして、室内ユニット１において、液状の冷媒が冷媒配管１９から膨張装置である電動膨張弁を介して低温のガス冷媒となって室内側の熱交換器８に流れ込む。この室内側の熱交換器８で低温の冷媒が空調対象の部屋の空気と熱交換されることで蒸発してガス化される。この際、室内は室内ユニット１から吹出される低温空気によって冷房される。
【００２０】
暖房運転時において、冷媒は、室外ユニットの圧縮機から高温高圧のガス状となって吐出され、冷媒配管１９に流れる。そして、室内ユニット１において、高温のガス状の冷媒が室内側の熱交換器８に流れ込む。この室内側の熱交換器８でガス状の冷媒が空調対象の部屋の空気と熱交換されることで凝縮して液化される。この際、室内は室内ユニット１から吹出される高温空気によって暖房される。
【００２１】
ドレン受け部であるドレンパン１１は、熱交換器８の下方位置に設けられる。熱交換器８が蒸発器として機能する冷房運転時には、熱交換器８を通過する空気Ｋに含まれる水分が熱交換器８表面で結露し、結露水として熱交換器８に付着して滴り落ちる。この熱交換器８から落ちる結露水を受けるために、ドレンパン１１が設けられている。
【００２２】
このドレンパン１１は、縦断側面視で略Ｕ字状を成し、プロペラファン９を囲むように設けられた部材である。このドレンパン１１は、熱交換器８の下方位置から吹出口７の縁辺まで延びる。このようにすれば、プロペラファン９の端縁が近接される吹出口７の縁辺までドレンパン１１とすることができる。つまり、プロペラファン９の端縁と吹出口７の縁辺との隙間を小さくすることができる。そのため、この隙間から結露水が落下されること防ぐことができる。なお、ドレンパン１１で貯留された結露水は、筐体５内に内蔵されたドレンポンプによって揚水されて所定の排水管（図示略）を介して、室内ユニット１の外部に排水される。
【００２３】
また、ドレンパン１１が筐体５の下面板１３と一体となっている。このようにすれば、筐体５の下面板１３をドレンパン１１として兼用できるので、室内ユニット１の部品点数が減り、製造コストを低減させることができる。なお、第１実施形態の筐体５は、上面板１２と下面板１３とが側面部を介してネジ等によって固定されて一体化されている。
【００２４】
室内ユニット１は、筐体５の上面板１２から内側に下方に突出されるガイド部１５を備える。このガイド部１５は、下方にゆくに従って窄まる擂り鉢形状を成す。ガイド部１５には、熱交換器８を水平方向に通過した空気Ｋを下方に向けて案内する案内面１６が形成される。案内面１６は、側面視で滑らかに湾曲された面である。この案内面１６に沿って空気Ｋをスムーズに下方に導くことができる。また、ガイド部１５の下端には、ファンモータ１０が固定されている。このようにすれば、送風特性を向上させつつ、ファンモータ１０を支持するための構造的強度を向上させることができる。
【００２５】
熱交換器８の表面には、熱交換器８の表面の水の接触角が５０°以下となるように、表面処理としての親水性処理が施されている。この親水性処理では、熱交換器８の表面に、樹脂系または水ガラス系等のコーティングが施される。この親水性処理が施されることで、熱交換器８の表面に生じた結露水が、この表面に沿ってスムーズに下方に落下される。そのため、結露水が空気Ｋの流れに引っ張られて、熱交換器８から離れた位置まで飛翔されることを防止できる。その結果、プロペラファン９の直径Ｄを大きくして、風量を増大させることができる。
【００２６】
本実施形態では、熱交換器８の内側の表面（端面）とプロペラファン９の端縁(先端のなす軌跡の端部)との水平方向の離間距離をＬとする。なお、この離間距離Ｌは、熱交換器８の内側の表面と吹出口７の縁辺との水平方向の離間距離とほぼ同一である。
【００２７】
本実施形態では、親水性処理（表面処理）が施されることで、熱交換器８の表面の水の接触角が５０°以下となっている。さらに、熱交換器８とプロペラファン９との水平方向の離間距離をＬとし、プロペラファン９の直径をＤとしたときに、０．０５≦Ｌ／Ｄ＜０．１９の関係式が成り立つ位置に配置されている。なお、この関係式を書き換えると、０．０５Ｄ≦Ｌ＜０．１９Ｄとなる。例えば、プロペラファン９の直径Ｄを８００ｍｍとした場合に、熱交換器８とプロペラファン９との水平方向の離間距離Ｌが４０ｍｍ〜１５２ｍｍとなる。また、プロペラファン９の直径Ｄを９００ｍｍとした場合には、直径が拡大した分だけ風速が増加するため、熱交換器８とプロペラファン９との水平方向の離間距離Ｌが、プロペラファン９の直径Ｄを８００ｍｍに比べて大きい、４５ｍｍ〜１７１ｍｍとなる。
【００２８】
図４および図５に示すように、熱交換器８に対して水平方向に空気Ｋが通過すると、その表面から結露水が飛翔される。例えば、熱交換器８の上下方向の寸法を一般的なサイズである３００ｍｍとし、プロペラファン９の直径Ｄを８００ｍｍとし、風速を１.５ｍ／ｓとし、熱交換器８の表面の水の接触角を５０°以下とした場合に、結露水の飛翔距離Ｌ’は、約４０ｍｍとなる。この結果から、熱交換器８とプロペラファン９との離間距離Ｌは、４０ｍｍ以上あれば良いことが分かる。プロペラファン９による風速は直径に比例することから、ここで、Ｌ／Ｄ＝４０／８００＝０.０５となる。図６に示すように、熱交換器８の表面の水の接触角が５０°以下であるときに、Ｌ／Ｄの値が０.０５となる。したがって、０．０５Ｄ≦Ｌを満たしていれば、熱交換器８から飛翔した結露水がプロペラファン９にまで到達して室内に飛散することはなく、ドレンパン１１上に落下して、排水処理される。
【００２９】
プロペラファン９の回転による風量は、直径Ｄが大きいほど大きくなる。その傾向はプロペラファン９も従来のターボファンもほぼ同等である。ここで、従来の４方向天井カセットタイプの室内ユニットにおける風量とＬ／Ｄの値の関係をパラメータにすると図７中の曲線Ａの特性を示す。Ｌ／Ｄの値が大きくなればなるほどファン径が小さくなり、風量は低下する。なお、この場合のＬは、ターボファンの端部と最も近接する熱交換器の端面との水平距離を、Ｄはターボファンの直径を意味している。
【００３０】
続いて、この４方向天井カセットタイプの室内ユニットと同一外形サイズの筐体を用いて、吸込口を下面中央から側方に変更すると同時にファンをターボファンから同径Ｄのプロペラファン９に変更した場合を、曲線Ｂに示す。この比較において、同図から分かる通り、Ｌ／Ｄ＝０、すなわちプロペラファン９と熱交換器８との隙間を“０”にできれば、約３０％の風量アップとなる。これは、プロペラファン９の方がターボファンよりも、その特性として風量が大きくなることおよび筐体の構造により通風路における風向変更が少ないことによる。すなわち、従来の室内ユニットでは、吸込みから吹出しまで風向を３６０°変更しているが、本実施形態の場合、風向は９０°しか曲がっていない点があげられる。但し、プロペラファン９を用いる場合には、前述の通り、結露水飛翔防止の観点から０．０５≧Ｌ／Ｄを満たす必要がある。このため、図７中の曲線Ｂ上で０．０５＝Ｌ／Ｄの点Ｘを見ると、ファン風量は約１１１％となり、同じ筐体寸法の４方向天井カセットタイプの室内ユニットに対して風量のアップを得ることができる。
【００３１】
さらに、従来の４方向天井カセットタイプの室内ユニットでは、吹出口が筐体の下面の側方に設けられている。本実施形態の室内ユニット構造においては、吹出口７は筐体５の下面の中央に設けられるため、筐体５の下面の側方に吹出口を設ける必要がない。そこで、この部分のデッドスペース分だけ、内部の構造物である熱交換器またはファンを大きくすることができる。すなわち、同じ筐体の外形サイズでファンの直径を拡大することができる。
【００３２】
一般に、吹出口の幅は少なくとも３ｃｍは必要であり、左右合わせて６ｃｍ分だけ熱交換器またはファン寸法が拡大できる。なお、この拡大寸法は、概ね０．０７×（２Ｌ＋Ｄ）に相当する。そこで、この余裕分だけプロペラファンの直径Ｄを拡大した場合の風量特性が図７中の曲線Ｃとなる。そして、この曲線Ｃ上において、０．０５＝Ｌ／Ｄの点Ｙでは、従来の４方向天井カセットタイプの室内ユニットに比して約１４４％の風量を得ることができる。そして、同曲線ＣからＬ／Ｄ＝０．１９の点Ｚにおいて、従来の４方向天井カセットタイプの室内ユニットと同じ１００％の風量となる。実際には、従来の４方向天井カセットタイプの室内ユニットのターボファンにおいても、熱交換器との間に若干の隙間は必要になるので、全く隙間を０にすることはできない。
【００３３】
したがって、Ｌ／Ｄ＜０．１９であれば、同一サイズの従来の４方向天井カセットタイプの室内ユニットよりも確実に大風量を得ることができるようになる。なお、この際、側方の吹出口の削除によって熱交換器の寸法も大きくすることができるため、空調能力の増大を図ることもできる。
【００３４】
このような観点から、本実施形態においては、熱交換器８とプロペラファン９との水平方向の離間距離をＬとし、プロペラファン９の直径をＤとしたときに、０．０５≦Ｌ／Ｄ＜０．１９の関係式が成り立つようなプロペラファン９の直径を設定している。
【００３５】
以上の通り、本実施形態では、熱交換器８とプロペラファン９との水平方向の離間距離をＬとし、プロペラファン９の直径をＤとしたときに、０．０５≦Ｌ／Ｄ＜０．１９の関係式が成り立つように、室内ユニット１を形成することで、吹出口７から結露水が落下してしまうことを防止しつつ、プロペラファン９の大型化を図り、風量を向上させることができる。
【００３６】
（第２実施形態）
次に、第２実施形態の空気調和機の室内ユニット１Ａについて図８を用いて説明する。なお、前述した実施形態に示される構成部分と同一構成部分については同一符号を付して重複する説明を省略する。
【００３７】
図８に示すように、第２実施形態では、筐体５Ａが、直接天井４に固定されている。つまり、筐体５Ａの上面板１２Ａが天井４に接触した状態となっている。さらに、第１実施形態においては、筐体５内部の中央に設けられた擂り鉢形状を成すガイド部１５の下端に、ファンモータ１０を固定したが、第２実施形態では、単に四角形状の取り付け部１５Ａを上面板１２に設け、この取り付け部１５Ａにファンモータ１０を固定している。なお、筐体５Ａは、上面板１２Ａと下面板１３Ａとが別部材で構成される。そして、ドレンパン１１と一体となっている下面板１３Ａは、連結部材１８と介してファンモータ１０の基部もしくは取り付け部１５Ａに連結されている。この連結部材１８は、ファンモータ１０の基部から放射状に延びる棒状の部材である。
【００３８】
第２実施形態では、室内ユニット１Ａが、ファンモータ１０とドレンパン１１とを互いに連結する連結部材１８を備えることで、プロペラファン９とドレンパン１１との水平方向の離間距離Ｌを一定に保ち、互いの衝突を防止しつつ、プロペラファン９とドレンパン１１との隙間を小さく形成することができる。
【００３９】
本実施形態に係る空気調和機の室内ユニットを第１実施形態から第２実施形態に基づいて説明したが、いずれか１の実施形態において適用された構成を他の実施形態に適用しても良いし、各実施形態において適用された構成を組み合わせても良い。
【００４０】
なお、本実施形態では、熱交換器８が底面視で環状を成すが、その他の形状でも良い。例えば、熱交換器８が底面視で多角形状であっても良い。例えば、熱交換器８が、プロペラファン９の周囲を囲むように、四角形状を成していても良い。この場合の寸法設定は、プロペラファン９の端部と、このプロペラファン９に最も近い位置にある熱交換器８の端面との水平方向の離間距離をＬとする。
【００４１】
以上説明した実施形態によれば、吹出口から結露水が落下してしまうことを防止しつつ、プロペラファンの大型化を図り、風量を向上させることができる。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００４３】
１（１Ａ）…室内ユニット、２…床、３…壁、４…天井、５（５Ａ）…筐体、６…吸込口、７…吹出口、８…熱交換器、９…プロペラファン、１０…ファンモータ、１１…ドレンパン、１２（１２Ａ）…上面板、１３（１３Ａ）…下面板、１４…固定部材、１５…ガイド部、１５Ａ…取り付け部、１６…案内面、１７…吊り下げ部材、１８…連結部材、１９…冷媒配管、Ｄ…（プロペラファンの）直径、Ｌ…離間距離、Ｌ’…飛翔距離。
【図１】
2019208171.tif 000003
【図２】
2019208171.tif 000004
【図３】
2019208171.tif 000005
【図４】
2019208171.tif 000006
【図５】
2019208171.tif 000007
【図６】
2019208171.tif 000008
【図７】
2019208171.tif 000009
【図８】
2019208171.tif 000010
【国際調査報告】
2019208171.tif 000011
2019208171.tif 000012
2019208171.tif 000013
2019208171.tif 000014